(57)【要約】【課題】容器内の液状物を使用する量だけ均一且つ迅速に温め、排出することができ、容器内の液状物の菌汚染や品質劣化を防止することができるとともに、省スペース化及び作業の利便性の向上に寄与することができる保温ポンプを提供する。【解決手段】液状物が収容された容器内に配設された吸液口から液状物を定量ずつ外部に排出するポンプである。ポンプが、液状物を一定量保持するノズル通路と、ノズル通路に並設又は包囲され、ノズル通路内の液状物を速やかに加温するヒータと、ノズル通路に連通し、液状物を外部に排出するノズルと、を備えたものである。【選択図】なし【特許請求の範囲】
【請求項１】
液状物が収容された容器内に配設された吸液口から前記液状物を定量ずつ外部に排出するポンプであって、前記ポンプが、前記液状物を一定量保持するノズル通路と、前記ノズル通路に並設又は包囲され、前記ノズル通路内の前記液状物を速やかに加温するヒータと、前記ノズル通路に連通し、前記液状物を外部に排出するノズルと、を備えた保温ポンプ。
【請求項２】
前記ノズル通路内の前記液状物が、２０〜５０℃に温度調節される請求項１に記載の保温ポンプ。
【請求項３】
前記ノズル通路内の前記液状物が、５０〜１００℃に温度調節される請求項１に記載の保温ポンプ。
【請求項４】
前記ノズル通路の断面積が、前記吸液口の断面積の１０％以上である請求項１〜３のいずれか１項に記載の保温ポンプ。
【請求項５】
前記ノズル通路と前記吸液口との境界部に、前記液状物の逆流を防止する逆止弁が少なくとも１つ以上設けられた請求項１〜４のいずれか１項に記載の保温ポンプ。
【請求項６】
前記ポンプが、直圧式ポンプ又はエアレスポンプである請求項１〜５のいずれか１項に記載の保温ポンプ。
【請求項７】
前記ノズルが、伸縮自在又は着脱自在である請求項１〜６のいずれか１項に記載の保温ポンプ。
【請求項８】
前記ノズルに、ヒータが埋設又は付設されている請求項１〜７のいずれか１項に記載の保温ポンプ。
【請求項９】
液状物を排出するノズルと、前記ノズルと連通するピストンとを備えたヘッドと、
前記ピストンを上下に摺動可能に収容するとともに、前記ピストンに液状物を吸入するシリンダーと、
前記シリンダー内に挿着され、前記ピストンを弾持するスプリングと、
前記シリンダーの下端部に配設され、液状物をシリンダー内へ吸入する吸液管と、
前記吸液管からシリンダー内への前記液状物の逆流を防止する逆止弁と、
を備え、
前記ヘッドが、前記ピストンから吸入された前記液状物を所定の温度に加温するヒータと、前記ヒータに並設され、前記ノズルと前記ピストンとの間に、前記液状物を一定量保持するノズル通路を備えた保温ポンプ。
【請求項１０】
前記ノズル通路内の前記液状物が、２０〜５０℃に温度調節される請求項９に記載の保温ポンプ。
【請求項１１】
前記ノズル通路内の前記液状物が、５０〜１００℃に温度調節される請求項９に記載の保温ポンプ。
【請求項１２】
前記ノズル通路の断面積が、前記吸液管の断面積の１０％以上である請求項９〜１１のいずれか１項に記載の保温ポンプ。
【請求項１３】
前記ノズル通路と前記吸液管との境界部に、前記液状物の逆流を防止する逆止弁が少なくとも１つ以上設けられた請求項９〜１２のいずれか１項に記載の保温ポンプ。
【請求項１４】
前記ノズルが、伸縮自在又は着脱自在である請求項９〜１３のいずれか１項に記載の保温ポンプ。
【請求項１５】
前記ノズルに、ヒータが埋設又は付設されている請求項９〜１４のいずれか１項に記載の保温ポンプ。
【発明の詳細な説明】
【技術分野】
【０００１】
本発明は、溶液（例えば、ローション）、乳化物（例えば、クリーム）又は薬液、薬等の液状物を一定量ずつ加温しながら排出することができる保温ポンプに関する。
【背景技術】
【０００２】
理容室、美容室、エステサロン、病院等で、肌に直接、溶液（例えば、ローション）、乳化物（例えば、クリーム）又は薬液、薬等の液状物を塗る際、通常、液状物の温度が体温よりも低いため、「ひやっ」として不快感を感じさせるときがあり、その対策に苦慮していた。
【０００３】
このため、例えば、図１２に示すように、液状物８０の入ったポンプ容器（例えば、容器内の液状物をヘッド４２をポンピングして定量ずつ排出できるもの）４０全体を温水に入れて、液状物（内容物）８０を温めることが行われてきた。
【０００４】
しかしながら、ポンプ容器４０全体を毎日温め、冷やすことを頻繁に繰り返していくと、液状物（内容物）８０の経時安定性が悪くなり、品質劣化してしまうという難点があった。
【０００５】
また、図１２に示す方法では、容器全体を温水で温めるための場所（例えば、温水槽７０）もそれ相応に必要となるため、置き場所がなかったり、温水に浸すため、温水が容器５０内に誤って入り、液状物８０に温水内の菌が混入してしまったり、容器５０表面が温水で濡れてしまうので、作業の度に容器５０を拭いて使わなければならず、作業時に温水が書類やカルテ、お客様についてしまったりする等の不便が多かった。
【０００６】
更に、図１２に示す方法では、容器５０の液状物を必要なときにすぐに温めることが困難であるだけでなく、予めポンプ（例えば、吸液管９、シリンダ６、ノズル１）内にある液状物８０が温まりにくく、冷えやすいため、その使用場面が限定され、一般的に広く普及されることはなかった。
【発明の開示】
【発明が解決しようとする課題】
【０００７】
本発明は、上述した従来技術の問題点に鑑みてなされたものであり、その目的とするところは、容器内の液状物を使用する量だけ均一且つ迅速に温め、排出することができ、容器内の液状物の菌汚染や品質劣化を防止することができるとともに、省スペース化及び作業の利便性の向上に寄与することができる保温ポンプを提供することにある。
【課題を解決するための手段】
【０００８】
上述の目的を達成するため、本発明は、以下の保温ポンプを提供するものである。
【０００９】
［１］  液状物が収容された容器内に配設された吸液口から前記液状物を定量ずつ外部に排出するポンプであって、前記ポンプが、前記液状物を一定量保持するノズル通路と、前記ノズル通路に並設又は包囲され、前記ノズル通路内の前記液状物を速やかに加温するヒータと、前記ノズル通路に連通し、前記液状物を外部に排出するノズルと、を備えた保温ポンプ。
【００１０】
［２］  ノズル通路内の前記液状物が、２０〜５０℃に温度調節される［１］に記載の保温ポンプ。
【００１１】
［３］  ノズル通路内の液状物が、５０〜１００℃に温度調節される［１］に記載の保温ポンプ。
【００１２】
［４］  ノズル通路の断面積が、吸液口の断面積の１０％以上である［１］〜［３］のいずれかに記載の保温ポンプ。
【００１３】
［５］  ノズル通路と吸液管との境界部に、液状物の逆流を防止する逆止弁が少なくとも１つ以上設けられた［１］〜［４］のいずれかに記載の保温ポンプ。
【００１４】
［６］  ポンプが、直圧式ポンプ又はエアレスポンプである［１］〜［５］のいずれかに記載の保温ポンプ。
【００１５】
［７］  ノズルが、伸縮自在又は着脱自在である［１］〜［６］のいずれかに記載の保温ポンプ。
【００１６】
［８］  ノズルに、ヒータが埋設又は付設されている［１］〜［７］のいずれかに記載の保温ポンプ。
【００１７】
［９］  液状物を排出するノズルと、前記ノズルと連通するピストンとを備えたヘッドと、前記ピストンを上下に摺動可能に収容するとともに、前記ピストンに液状物を吸入するシリンダーと、前記シリンダー内に挿着され、前記ピストンを弾持するスプリングと、前記シリンダーの下端部に配設された液状物をシリンダー内へ吸入する吸液管と、前記吸液管からシリンダー内への前記液状物の逆流を防止する逆止弁と、を備え、前記ヘッドが、前記ピストンから吸入された前記液状物を所定の温度に加温するヒータと、前記ヒータに並設され、前記ノズルと前記ピストンとの間に、前記液状物を一定量保持するノズル通路を備えた保温ポンプ。
【００１８】
［１０］  ノズル通路内の液状物が、２０〜５０℃に温度調節される［９］に記載の保温ポンプ。
【００１９】
［１１］  ノズル通路内の液状物が、５０〜１００℃に温度調節される［９］に記載の保温ポンプ。
【００２０】
［１２］  ノズル通路の断面積が、吸液管の断面積の１０％以上である［９］〜［１１］のいずれかに記載の保温ポンプ。
【００２１】
［１３］  ノズル通路と吸液管との境界部に、液状物の逆流を防止する逆止弁が少なくとも１つ以上設けられた［９］〜［１２］のいずれかに記載の保温ポンプ。
【００２２】
［１４］  ノズルが、伸縮自在又は着脱自在である［９］〜［１３］のいずれかに記載の保温ポンプ。
【００２３】
［１５］  ノズルに、ヒータが埋設又は付設されている［９］〜［１４］のいずれかに記載の保温ポンプ。
【発明の効果】
【００２４】
本発明の保温ポンプは、容器内の液状物を使用する量だけ均一且つ迅速に温め、排出することができ、容器内の液状物の菌汚染や品質劣化を防止することができるとともに、省スペース化及び作業の利便性の向上に寄与することができる。
【発明を実施するための最良の形態】
【００２５】
本発明の保温ポンプは、液状物が収容された容器内に配設された吸液口から液状物を定量ずつ外部に排出するポンプであって、ポンプが、液状物を一定量保持するノズル通路と、ノズル通路に並設又は包囲され、ノズル通路内の前記液状物を速やかに加温するヒータと、ノズル通路に連通し、液状物を外部に排出するノズルと、を備えたものである。
【００２６】
このとき、本発明の保温ポンプは、ノズル通路内の液状物が、一定の温度範囲で温度調整されることが好ましい。より具体的には、本発明の保温ポンプは、ノズル通路内の液状物が、２０〜５０℃に温度調節されていることが好ましい。これにより、理容室、美容室、エステサロン、病院等で、肌に直接、溶液（例えば、ローション）、乳化物（例えば、クリーム）又は薬液、薬等の液状物を塗る際、液状物の温度を体温に近い温度にすることができるため、「ひやっ」とした不快感を感じさせることなく、快適な環境を提供することができる。尚、本発明の保温ポンプは、ノズル通路内の液状物を５０℃（より好ましくは、８０℃）〜１００℃に温度調節することにより、煮沸消毒したり、蒸しタオルを加温することもできる。
【００２７】
また、本発明の保温ポンプは、ノズル通路の断面積が吸液口の断面積の１０％以上（より好ましくは、３０％以上）であることが好ましい。これは、ノズル通路の断面積が吸液口の断面積の１０％未満である場合、（特に、１０，０００ｃＰ以上の粘度を有する）液状物のノズル通路の流通が困難となるからである。また、ノズル通路を保温ポンプ内に収容することができるならば、ノズル通路の断面積をできるだけ大きくする（例えば、ノズル通路の断面積を１００％以上にする）ことが、液状物の流通が容易となるため好ましい。尚、ノズル通路の一部をハニカム構造にすると、液状物を均一に加温することができるため、より好ましい。
【００２８】
更に、本発明の保温ポンプは、ノズル通路と吸液口との境界部に、液状物の逆流を防止する逆止弁が少なくとも１つ以上設けられていることが好ましい。これは、保温ポンプで温められた液状物が、容器内に逆流することを防止することにより、容器内の液状物の品質劣化や菌の侵入を防止することができるからである。尚、上記逆止弁は、特に限定されることなく、サイズや能力に応じて適宜用いることが好ましい。
【００２９】
尚、本発明の保温ポンプは、特に限定されないが、直圧式又はエアレス式であることが好ましい。直圧式ポンプとは、一般的に乳液やシャンプー等に用いられ、容器内の液状物（内容液）を静圧のまま排出（吐出）させるポンプである。このポンプの駆動手段は、手動であっても電動であってもよい。一方、エアレスポンプとは、容器を含めた高粘度ポンプシステム（Ｈｉｇｈ  Ｖｉｓｃｏｓｉｔｙ  Ｄｉｓｐｅｎｓｅｒ：ＨＶＤ）であり、容器の中身が空気に触れない構造になっているため、雑菌の侵入をシャットアウトすることができるという利点を有する。
【００３０】
以下、図面を参照して、本発明の保温ポンプ及びこれを用いたポンプ容器の実施の形態について詳細に説明するが、本発明は、これに限定されて解釈されるものではなく、本発明の範囲を逸脱しない限りにおいて、当業者の知識に基づいて、種々の変更、修正、改良を加え得るものである。
【００３１】
図１は、本発明の保温ポンプを用いたポンプ容器の一例を示す斜視透視図であり、図２は、図１の分解断面図である。
【００３２】
本発明に係る保温ポンプは、例えば、図２に示すように、液状物を排出するノズル１と、ノズル１と連通するピストン３とを備えたヘッド２と、ピストン３を上下に摺動可能に収容するとともに、ピストン３に液状物を吸入するシリンダー６と、シリンダー６内に挿着され、ピストン３を弾持するスプリング７と、シリンダー６の下端部に配設された液状物をシリンダー６内へ吸入する吸液管９と、吸液管９からシリンダー６内への液状物の逆流を防止する逆止弁８とを備え、ヘッド２が、ピストン３から吸入された液状物を所定の温度に加温するヒータ２０と、ヒータ２０に並設され、ノズル１とピストン３との間に、液状物を一定量保持するノズル通路１０を備えたものである（図３参照）。
【００３３】
これにより、本発明の保温ポンプ３０は、容器５０内の液状物８０全部を温めることなく、ヘッド２をポンピングすることにより、容器５０内の液状物８０を使用する量だけ均一且つ迅速に温め、排出することができる（図１参照）。
【００３４】
即ち、本発明の保温ポンプは、図２に示すように、液状物を加温するのはヘッド２（図２のＡ部参照）だけであり、液状物が収容された容器５０、シリンダー６及び吸液管９（図２のＣ部参照）が直接、加温されることがないため、繰り返し加温による液状物の品質劣化を防止することができる。尚、万全を期すために、図１１に示すように、シリンダー６と接触する部分に断熱素材又は冷却素材６０をピストン３につけて、加温時の熱が容器５０に伝わらないようにしてもよい。尚、冷却素材６０としては、特に限定されないが、電子冷却素子（例えば、ペルチェ素子）を用いることが好ましい。
【００３５】
また、本発明の保温ポンプは、図１２に示すような容器５０全体を温水で温めるための場所（例えば、温水槽７０）や手間が不要であるとともに、温水が容器５０内に誤って入り、液状物８０に温水内の菌が混入してしまうこともないため、液状物８０の菌汚染の防止、省スペース化及び作業の利便性の向上に寄与することができる。
【００３６】
ここで、ノズル通路内の液状物の所定温度は、２０〜５０℃であることが好ましい。これにより、理容室、美容室、エステサロン、病院等で、肌に直接、溶液（例えば、ローション）、乳化物（例えば、クリーム）又は薬液、薬等の液状物を塗る際、液状物の温度を体温に近い温度にすることができるため、「ひやっ」とした不快感を感じさせることなく、快適な環境を提供することができる。尚、ノズル通路内の液状物の所定温度は、５０（より好ましくは、８０）〜１００℃であってもよく、この場合、液状物で煮沸消毒したり、蒸しタオルを加温することができる。
【００３７】
更に、本発明の保温ポンプは、図１及び図２に示すように、作業の利便性を損なわない程度に、ヘッド２の容積を大きくすることにより、ノズル通路１０をヘッド２の内部に収容することが好ましい。これは、従来のヘッド４２（図１２参照）では、加温できる液状物８０の量が不十分であるので、使用量の確保するため、複数回ヘッドをポンピングしなければならず、これを解消するため、例えば、ノズルを長くする必要があったが、ノズルを長くすると、スペースを取るだけでなく、作業の利便性が低下してしまうからである。尚、本発明の保温ポンプは、図１及び図２に示すように、シリンダー３に付設されたキャップ４で液状物８０が収容された容器５０と螺合されていることが好ましい。
【００３８】
ここで、本発明の保温ポンプの主な特徴は、ピストンから吸入された液状物を所定の温度に加温するヒータと、ヒータに並設され、ノズルとピストンとの間に、液状物を一定量保持するノズル通路を備えたヘッドを有することにある。
【００３９】
例えば、図３の場合、ノズル通路１０とヒータ２０とを巻き回してヘッド２に収容されたものであり、図４及び図５の場合、ノズル通路１０とヒータ２０とがノズル１に向かってジグザグに折り畳まれて収容されたものであり、図６及び図７の場合、ノズル通路１０とヒータ２０とを渦巻き状に収容したものである。
【００４０】
本発明で用いるヘッドは、例えば、図２に示すように、ノズル通路１０を楕円や直方形に変形させることが好ましい。これは、ノズル通路１０とヒータ２０との接触面積を増やすことができるため、送液管９から吸い上げた液状物を均一且つ迅速に温めることができるからである。
【００４１】
このとき、ノズル通路の断面積ｂは、吸液管の断面積ａの１０％以上（より好ましくは、３０％以上）であることが好ましい（図２参照）。これは、ノズル通路の断面積ｂが吸液管の断面積ａの１０％未満である場合、（特に、１０，０００ｃＰ以上の粘度を有する）液状物のノズル通路１０の流通が困難となるからである。また、ノズル通路１０をヘッド２の内部に収容することができるならば、ノズル通路の断面積ｂをできるだけ大きくする（例えば、ノズル通路の断面積ｂを１００％以上にする）ことが、液状物の流通が容易となるため好ましい。尚、ノズル通路の一部をハニカム構造にすると、液状物を均一に加温することができるため、より好ましい。
【００４２】
尚、本発明で用いるヒータは、図３及び図５に示すように、ノズル通路１０に並設されているが、液状物とノズル通路１０との接触が均一且つ最大になるところに、ノズル通路１０を覆うように配設することがより好ましい。尚、ヒータ２０は、特に限定されないが、ノズル通路と追随させ易く、絶縁性に優れたパネルヒータ、フィルムヒータ又はリボンヒータを適宜用いることができる。
【００４３】
本発明で用いるヘッドは、ポンピング時に直接、手が触れるので、漏電や感電を防止するため、ヒータ及び導電線に防水加工をしっかりと施すとともに、ヒータと外部電源とを接続するジョイント、プラグ、接続口もなるべく設けず、図１及び図２に示すように、コンセント２６や温度調整部２４を有するコード２２と一体化されていることが好ましい。
【００４４】
また、本発明で用いるヘッドは、例えば、図２、図５及び図６に示すように、ノズル通路１０とピストン３との間に、液状物の逆流を防止する逆止弁１３が少なくとも１つ以上設けられていることが好ましい。これは、ヘッド２で温められた液状物が、容器５０内に逆流することを防止することにより、容器５０内の液状物の品質劣化や菌の侵入を防止することができるからである。このとき、上記逆止弁１３の位置は、図１及び図２に示すように、ヘッド２（図２のＡ部参照）、特に、ピストン３とノズル通路１０との境界（図１及び図２のＢ部参照）に設けることがより好ましい。尚、上記逆止弁１３は、特に限定されることなく、サイズや能力に応じて適宜用いることが好ましい。
【００４５】
更に、本発明で用いるヘッド（図４参照）は、例えば、図５に示すように、蓋部１２を取り外して、ノズル通路１０、ヒータ２０及び逆止弁１３を底部１４から分解して、洗浄可能であることが、衛生面や保守面から好ましい。
【００４６】
本発明の保温ポンプは、図４に示すように、ヘッド２と一体化されたノズル１である場合、噴出口の径が変えられる柔軟性のある素材（例えば、形状記憶プラスチック）を用いることが好ましい。また、図８に示すように、伸縮自在（蛇腹）のノズル１５や、図６又は図９に示すように、ヘッドと着脱自在のノズル１６〜１８を、ヘッド２に取り付けてもよい。これにより、液状物の使用量に応じて、ノズルの容積や噴出量を適宜変えることができるだけでなく、ノズルが詰まったとき等のメンテナンスを容易にすることができる。尚、ノズル１５〜１８には、ノズル通路１０内の液状物の温度とノズル１５〜１８内の液状物の温度を均一にするため、ヒータ（図示せず）が埋設又は付設されていることが好ましく、ヘッド２とノズル１５〜１８との取付部に通電線を設けることにより実現することができる。
【００４７】
また、本発明の保温ポンプは、ノズル通路内の液状物の温度をリアルタイムに知るため、例えば、図１０（ａ）（ｂ）に示す温度表示部２６，２８をヘッド２の上面に配設したり、ノズル通路１０内の液状物の温度が所定温度を超過しないように、図１及び図２に示す温度調整部２４で温度調整することが好ましい。尚、温度調整部２４は、ノズル通路内の液状物の温度が、一定の温度範囲で自動で温度調整されていてもよい。
【産業上の利用可能性】
【００４８】
本発明の保温ポンプは、理容室、美容室、エステサロン、病院等で、肌に直接、溶液（例えば、ローション）、乳化物（例えば、クリーム）又は薬液、薬等の液状物を塗る際に好適に用いることができる。
【図面の簡単な説明】
【００４９】
【図１】本発明の保温ポンプを用いたポンプ容器の一例を示す斜視透視図である。
【図２】図１の分解断面図である。
【図３】本発明で用いるヘッドの一例（図２参照）を示す視透視図である。
【図４】本発明で用いるヘッドの他の例を示す概略斜視図である。
【図５】図４に示すヘッドの分解斜視図である。
【図６】本発明のポンプ容器の他の例を示す概略斜視図である。
【図７】本発明で用いるヘッドの更に他の例（図６参照）を示す透視正面図である。
【図８】本発明で用いるヘッドの別の例を示す概略斜視図である。
【図９】本発明で用いるヘッドの更に別の例を示す概略斜視図である。
【図１０】（ａ）（ｂ）は、本発明で用いるヘッドの上面に温度表示部をそれぞれ設けた配置図である。
【図１１】本発明の保温ポンプの更に他の例を示す説明図である。
【図１２】従来のポンプ容器を温水槽で温める方法を示す説明図である。
【符号の説明】
【００５０】
１…ノズル、２…ヘッド、３…ピストン、４…キャップ、６…シリンダー，７…スプリング、８…逆止弁、９…吸液管、１０…ノズル通路、１２…蓋部、１３…逆止弁、１４…底部、１５〜１８…ノズル、２０…ヒータ、２２…コード、２４…温度調整部、２５…コンセント、２６，２８…温度表示部、３０…ポンプ容器（本発明）、４０…ポンプ容器（従来）、４２…ヘッド、５０…容器、６０…断熱素材又は冷却素材、７０…温水槽、８０…液状物（内容物）。
【図１】
2005218985.tif 000002
【図２】
2005218985.tif 000003
【図３】
2005218985.tif 000004
【図４】
2005218985.tif 000005
【図５】
2005218985.tif 000006
【図６】
2005218985.tif 000007
【図７】
2005218985.tif 000008
【図８】
2005218985.tif 000009
【図９】
2005218985.tif 000010
【図１０】
2005218985.tif 000011
【図１１】
2005218985.tif 000012
【図１２】
2005218985.tif 000013